(57)【要約】【課題】ノイズの影響が低減され、より高精度なタッチペン／指判定が実行されるタッチ検出装置を提供する。【解決手段】タッチ検出装置２０は、タッチ検出面に沿って配置される複数の共振回路３３と、複数の共振回路３３のそれぞれに対し、共振を発生させる入力信号を入力する信号入力線３１と、複数の共振回路のそれぞれから出力される複数の出力信号の周波数を検出する検波部５０と、を有する。【選択図】図３
2015028712.tif 000002
【特許請求の範囲】
【請求項１】
タッチ検出面に沿って配置される複数の共振回路と、
前記複数の共振回路のそれぞれに対し、共振を発生させる入力信号を入力する信号入力部と、
前記複数の共振回路のそれぞれから出力される複数の出力信号の周波数を検出する検波部と、
を有することを特徴とするタッチ検出装置。
【請求項２】
請求項１に記載のタッチ検出装置において、
前記検波部において検出される前記複数の出力信号の周波数と、所定の閾値と、の比較を行う比較部と、
前記比較部における比較結果に基づいて、出力信号の周波数変動が検出された共振回路を特定する変動検出信号を生成する変動検出信号生成部と、
をさらに有することを特徴とするタッチ検出装置。
【請求項３】
請求項２に記載のタッチ検出装置において、
前記比較部において、前記複数の出力信号の周波数の少なくとも１つが前記所定の閾値より低いと判定された場合、
ユーザのタッチペンによる操作の検出を示すタッチペン操作検出信号を生成するタッチペン操作検出信号生成部をさらに有することを特徴とするタッチ検出装置。
【請求項４】
請求項２に記載のタッチ検出装置において、
前記比較部において、前記複数の出力信号の周波数の少なくとも１つが前記所定の閾値より高いと判定された場合、
ユーザの指による操作の検出を示す指操作検出信号を生成する指操作検出信号生成部をさらに有することを特徴とするタッチ検出装置。
【請求項５】
請求項２乃至４のいずれかに記載のタッチ検出装置において、
前記閾値は、前記複数の共振回路の共振周波数に基づいて定められることを特徴とする、
ことを特徴とするタッチ検出装置。
【請求項６】
請求項１に記載のタッチ検出装置において、
前記検波部において検出される前記複数の出力信号の周波数と第１の閾値との比較、および前記複数の出力信号の周波数と第２の閾値との比較を行う比較部と、
前記比較部において、前記複数の出力信号の周波数の少なくとも１つが前記第１の閾値より低いと判定された場合又は前記複数の出力信号の周波数の少なくとも１つが前記第２の閾値より高いと判定された場合、前記判定された周波数の出力信号を出力する共振回路を特定する変動検出信号を生成する変動検出信号生成部と、
をさらに有することを特徴とするタッチ検出装置。
【請求項７】
請求項６に記載のタッチ検出装置において、
前記比較部において、前記複数の出力信号の周波数の少なくとも１つが前記第１の閾値より低いと判定された場合、ユーザのタッチペンによる操作の検出を示すタッチペン操作検出信号を生成し、前記複数の出力信号の周波数の少なくとも１つが前記第２の閾値より高いと判定された場合、ユーザの指による操作の検出を示す指操作検出信号を生成する操作検出信号生成部、
をさらに有することを特徴とするタッチ検出装置。
【請求項８】
請求項６または７に記載のタッチ検出装置において、
前記第１の閾値および前記第２の閾値は、前記複数の共振回路の共振周波数に基づいて定められることを特徴とする、
ことを特徴とするタッチ検出装置。
【請求項９】
請求項２乃至８のいずれかに記載のタッチ検出装置であって、
前記複数の共振回路の位置を示す位置情報を取得する手段を更に有し、
前記変動検出信号は、前記判定された周波数の出力信号を出力する共振回路の位置を示す情報を含むことを特徴とするタッチ検出装置。
【請求項１０】
請求項１乃至９のいずれかに記載のタッチ検出装置を有する、画像表示装置。
【請求項１１】
タッチ検出面に沿って設けられる複数の共振回路と、
前記複数の共振回路に対し、共振を発生させる入力信号を入力する複数の入力信号線と、
前記複数の共振回路から出力される出力信号を出力する複数の出力信号線と、
を有することを特徴とするタッチパネル。
【請求項１２】
請求項１１に記載のタッチパネルにおいて、
前記複数の入力信号線は、前記タッチ検出面に沿った第１の方向に形成され、
前記複数の出力信号線は、前記タッチ検出面に沿った、前記第１の方向と異なる第２の方向に形成され、
前記複数の共振回路のそれぞれは、
それぞれ前記複数の入力信号線の１つおよび前記複数の出力信号線の１つと接続される、コイルとコンデンサからなることを特徴とするタッチパネル。
【請求項１３】
請求項１２に記載のタッチパネルにおいて、
前記入力信号線、前記出力信号線、前記コイル、および前記コンデンサは、単一の透明電極材料層において形成されることを特徴とするタッチパネル。
【請求項１４】
請求項１１乃至１３のいずれかに記載のタッチパネルを有する、画像表示装置。
【発明の詳細な説明】
【技術分野】
【０００１】
本発明は、タッチ検出装置、タッチパネルおよび画像表示装置に関する。
【背景技術】
【０００２】
ユーザによるタッチ検出面に対するタッチ操作を検出するタッチ検出装置およびタッチパネルは、スマートフォンやタブレット端末等の携帯通信端末、店舗に設置されて顧客の操作に応じたサービスを提供する情報処理装置等に設けられる。
【０００３】
このようなタッチ検出装置およびタッチパネルにおいて、ユーザによるタッチ操作を検出する方式として静電容量方式がある。静電容量方式とは、タッチ検出面にそって複数の電極を配置し、例えばユーザの指等の接近による電極間の静電容量の変化を検出することで、タッチ操作を検出する方式である。
【０００４】
特許文献１には、静電容量方式によるタッチ検出を行う技術に関して、タッチ検出時に発生する電流の積算量が所定値に達するタイミングに基づいて、該タッチが指によるものかスタイラスペンによるものかの判別を行う情報入力装置が開示されている。
【先行技術文献】
【特許文献】
【０００５】
【特許文献１】特開２０１０−６１３５１号公報
【発明の概要】
【発明が解決しようとする課題】
【０００６】
静電容量方式においては、電流の積算量を示す信号の振幅の大小に基づいてタッチ操作の検出が行われているが、信号の振幅はノイズによって変化する。よって操作を検出する構成が例えば表示装置に設けられた場合、近くに存在する表示素子に起因する表示ノイズにより、誤検出が発生する。
【０００７】
また、検出されたタッチ操作がタッチペンによるものか指によるものかの判定（タッチペン／指判定）を行う場合、例えばタッチ操作が検出された領域の広さに基づいて判定が行われるが、このような方法では指の先端部のみによる操作をタッチペンによる操作と判定する等、誤った判定がなされることがある。
【０００８】
本発明は、上述の課題を鑑みてなされたものであり、ノイズの影響が低減され、より高精度なタッチペン／指判定が実行されるタッチ検出装置、タッチパネルおよび画像表示装置を提供することを目的とする。
【課題を解決するための手段】
【０００９】
上記課題を解決するため、本願発明に係るタッチ検出装置は、タッチ検出面に沿って配置される複数の共振回路と、前記複数の共振回路のそれぞれに対し、共振を発生させる入力信号を入力する信号入力部と、前記複数の共振回路のそれぞれから出力される複数の出力信号の周波数を検出する検波部と、を有する。
【００１０】
本発明によれば、タッチ検出面に沿って配置される複数の共振回路からの出力信号の周波数を検出するタッチ検出装置が提供される。
【００１１】
また、本発明の一態様では、前記検波部において検出される前記複数の出力信号の周波数と、所定の閾値と、の比較を行う比較部と、前記比較部における比較結果に基づいて、出力信号の周波数変動が検出された共振回路を特定する変動検出信号を生成する変動検出信号生成部と、をさらに有する。
【００１２】
本発明によれば、出力信号の周波数変動が検出された共振回路を特定する変動検出信号を生成するタッチ検出装置が提供される。
【００１３】
また、本発明の一態様では、前記比較部において、前記複数の出力信号の周波数の少なくとも１つが前記所定の閾値より低いと判定された場合、ユーザのタッチペンによる操作の検出を示すタッチペン操作検出信号を生成するタッチペン操作検出信号生成部をさらに有する。
【００１４】
本発明によれば、共振回路の出力信号の周波数と所定の閾値との比較結果に基づいてタッチペンによる操作を検出するタッチ検出装置が提供される。
【００１５】
また、本発明の一態様では、前記比較部において、前記複数の出力信号の周波数の少なくとも１つが前記所定の閾値より高いと判定された場合、ユーザの指による操作の検出を示す指操作検出信号を生成する指操作検出信号生成部をさらに有する。
【００１６】
本発明によれば、共振回路の出力信号の周波数と所定の閾値との比較結果に基づいて指による操作を検出するタッチ検出装置が提供される。
【００１７】
また、本発明の一態様では、前記閾値は、前記複数の共振回路の共振周波数に基づいて定められる。
【００１８】
本発明によれば、共振回路の出力信号の周波数と、共振回路の共振周波数に基づく閾値と、の比較結果に基づいて操作を検出するタッチ検出装置が提供される。
【００１９】
また、本発明の一態様では、前記検波部において検出される前記複数の出力信号の周波数と第１の閾値との比較、および前記複数の出力信号の周波数と第２の閾値との比較を行う比較部と、前記比較部において、前記複数の出力信号の周波数の少なくとも１つが前記第１の閾値より低いと判定された場合又は前記複数の出力信号の周波数の少なくとも１つが前記第２の閾値より高いと判定された場合、前記判定された周波数の出力信号を出力する共振回路を特定する変動検出信号を生成する変動検出信号生成部と、をさらに有する。
【００２０】
本発明によれば、共振回路の出力信号の周波数が第１の閾値より低い場合、もしくは第２の閾値より高い場合に変動検出信号を生成するタッチ検出装置が提供される。
【００２１】
また、本発明の一態様では、前記比較部において、前記複数の出力信号の周波数の少なくとも１つが前記第１の閾値より低いと判定された場合、ユーザのタッチペンによる操作の検出を示すタッチペン操作検出信号を生成し、前記複数の出力信号の周波数の少なくとも１つが前記第２の閾値より高いと判定された場合、ユーザの指による操作の検出を示す指操作検出信号を生成する操作検出信号生成部、をさらに有する。
【００２２】
本発明によれば、共振回路の出力信号の周波数が第１の閾値より低い場合、タッチペンによる操作を検出し、第２の閾値より高い場合に指による操作を検出するタッチ検出装置が提供される。
【００２３】
また、本発明の一態様では、前記第１の閾値および前記第２の閾値は、前記複数の共振回路の共振周波数に基づいて定められる。
【００２４】
本発明によれば、共振回路の出力信号の周波数と、共振回路の共振周波数に基づく閾値と、の比較結果に基づいて操作を検出するタッチ検出装置が提供される。
【００２５】
また、本発明の一態様では、前記複数の共振回路の位置を示す位置情報を取得する手段を更に有し、前記変動検出信号は、前記判定された周波数の出力信号を出力する共振回路の位置を示す情報を含む。
【００２６】
本発明によれば、周波数の変動が検出された共振回路の位置を示す情報を含む変動検出信号を生成するタッチ検出装置が提供される。
【００２７】
また、本発明の一態様では、前述のタッチ検出装置を、画像表示装置が有する。
【００２８】
本発明によれば、タッチ検出面に沿って配置される複数の共振回路からの出力信号の周波数を検出するタッチ検出装置を有する画像表示装置が提供される。
【００２９】
また、本願発明に係るタッチパネルは、タッチ検出面に沿って設けられる複数の共振回路と、前記複数の共振回路に対し、共振を発生させる入力信号を入力する複数の入力信号線と、前記複数の共振回路から出力される出力信号を出力する複数の出力信号線と、を有する。
【００３０】
本発明によれば、タッチ検出面に沿って設けられる複数の共振回路を有するタッチパネルが提供される。
【００３１】
また、本発明の一態様では、前記複数の入力信号線は、前記タッチ検出面に沿った第１の方向に形成され、前記複数の出力信号線は、前記タッチ検出面に沿った、前記第１の方向と異なる第２の方向に形成され、前記複数の共振回路のそれぞれは、それぞれ前記複数の入力信号線の１つおよび前記複数の出力信号線の１つと接続される、コイルとコンデンサからなる。
【００３２】
本発明によれば、第１の方向に形成される入力信号線、第２の方向に形成される出力信号線、および入力信号線と出力信号線に接続されるコイルとコンデンサからなる共振回路を有するタッチパネルが提供される。
【００３３】
また、本発明の一態様では、前記入力信号線、前記出力信号線、前記コイル、および前記コンデンサは、単一の透明電極材料層において形成される。
【００３４】
本発明によれば、単一の透明電極材料層において形成される共振回路を有するタッチパネルが提供される。
【００３５】
また、本発明の一態様では、前述のタッチパネルを、画像表示装置が有する。
【００３６】
本発明によれば、タッチ検出面に沿って設けられる複数の共振回路を有するタッチパネルを有する画像表示装置が提供される。
【図面の簡単な説明】
【００３７】
【図１】本発明の第１の実施形態に係るタッチ検出装置およびタッチパネルを有する、情報処理装置を示す図である。
【図２】本発明の第１の実施形態に係る表示部の構成を示す図である。
【図３】本発明の第１の実施形態に係るタッチ検出装置の構成を示す図である。
【図４】本発明の第１の実施形態に係るタッチ検出装置に設けられる共振回路の構成を示す図である。
【図５】本発明の第１の実施形態に係るタッチ検出装置の操作に使用されるタッチペンを示す図である。
【図６】本発明の第１の実施形態に係る検波部の構成の例を示す図である。
【図７】比較部において行われる比較処理の内容を示す図である。
【図８】本発明の第２の実施形態に係る共振回路の構成を示す図である。
【図９】本発明の第３の実施形態に係る共振回路の構成を示す図である。
【図１０】本発明の第４の実施形態に係る共振回路の構成を示す図である。
【図１１】本発明の第５の実施形態に係る共振回路の構成を示す図である。
【図１２】本発明におけるＩＴＯ層の形成位置に関する、他の実施形態を示す図である。
【図１３】本発明におけるＩＴＯ層の形成位置に関する、他の実施形態を示す図である。
【発明を実施するための形態】
【００３８】
［第１の実施形態］
図１は、本発明の第１の実施形態に係るタッチ検出装置２０およびタッチパネル３０を有する、情報処理装置１００を示す図である。情報処理装置１００は表示部（画像表示装置）１０を有し、表示部１０の表示面にタッチパネル３０が設けられる。ここでタッチパネル３０のタッチ検出面は、表示部１０の表示面に沿って設けられる。また、情報処理装置１００は、タッチパネル３０を含む、タッチ検出装置２０（図示しない）を有する。
【００３９】
図２は、本発明の第１の実施形態に係る表示部１０の構成を示す図である。表示部１０は、前面ガラス１１、偏光板１２、ＩＴＯ（Ｉｎｄｉｕｍ  Ｔｉｎ  Ｏｘｉｄｅ、透明電極材料）層１３、カラーフィルタガラス１４、カラーフィルタ１５、液晶層１６、ＴＦＴ基板１７、偏光板１８、およびバックライト１９を有し、タッチパネル３０は、ＩＴＯ層１３に形成される。表示部１０は、ＩＴＯ層１３を除いて、既存の液晶ディスプレイと同様の構成を有する。
【００４０】
図３は、本発明の第１の実施形態に係るタッチ検出装置２０の構成を示す図である。タッチ検出装置２０は、タッチパネル３０、入力信号生成部４０、検波部５０、Ａ／Ｄ変換部６０、比較部７０、変動検出信号生成部７５、位置情報取得部８０、および操作信号生成部８５を有する。タッチパネル３０は、タッチパネル３０のタッチ検出面に沿った第１の方向に形成される複数の入力信号線３１と、タッチ検出面に沿った、第１の方向と異なる第２の方向に形成される複数の出力信号線３２と、タッチパネル３０のタッチ検出面に沿って形成される複数の共振回路３３と、を有する。複数の入力信号線３１、複数の出力信号線３２、および複数の共振回路３３は、単一のＩＴＯ層１３において形成される。操作信号生成部８５から出力される操作信号は、情報処理装置１００の操作信号処理部９０に出力される。
【００４１】
図４は、本発明の第１の実施形態に係るタッチ検出装置２０に設けられる共振回路３３の構成を示す図である。共振回路３３は、それぞれＩＴＯ層１３において形成される、第１電極３４および第２電極３５からなるコンデンサ３６と、コイル３７と、からなる。ここで、第２電極３５は、入力信号線３１の一部からなる。また、配線同士が重複する、図面内でハッチングにより示される領域は、互いに絶縁されて重畳されるブリッジ構成により形成される。
【００４２】
図５は、本発明の第１の実施形態に係るタッチ検出装置２０の操作に使用されるタッチペン２００を示す図である。タッチペン２００は、その先端に強磁性体であるフェライトからなる接触部２０１を有する。
【００４３】
タッチ検出装置２０の動作について、以下に説明する。タッチ検出装置２０の入力信号生成部４０は、複数の共振回路３３のそれぞれについて、共振を発生させるパルス信号等の入力信号を生成し、複数の入力信号線３１を介して、複数の共振回路３３に入力する。
【００４４】
共振回路３３は、入力信号生成部４０から入力信号線３１を介して入力される入力信号により共振動作を行い、出力信号を、出力信号線３２を介して検波部５０に出力する。ここで出力信号の周波数は、共振回路３３に対する、タッチペン２００の接近により低下し、指の接近により上昇する。詳細については後述する。
【００４５】
検波部５０は、複数の出力信号線３２を介して複数の共振回路３３から入力される複数の出力信号のそれぞれについて検波処理を実行して周波数を検出する。図６は、本発明の第１の実施形態に係る検波部５０の構成の例を示す図である。第１の構成の例である検波部５０−１は、パルスカウント方式による検波処理を行うもので、周波数ダウンコンバータ５１，バンドパスフィルタ５２，ゼロクロスディテクタ５３，ワンショットマルチバイブレータ５４，およびローパスフィルタ５５からなる。第２の構成の例である検波部５０−２は、ＰＬＬ方式による検波処理を行うもので、位相比較器５６，ローパスフィルタ５７，およびＶＣＯ（Ｖｏｌｔａｇｅ  Ｃｏｎｔｒｏｌｌｅｄ  Ｏｓｃｉｌｌａｔｏｒ）５８からなる。検波部５０は、検波結果を示すアナログ信号をＡ／Ｄ変換部６０に出力し、Ａ／Ｄ変換部６０は、検波結果をアナログ／デジタル変換して比較部７０に出力する。
【００４６】
比較部７０は、Ａ／Ｄ変換部６０においてデジタル変換された、検波部５０において検出された複数の出力信号の周波数のそれぞれについて、所定の閾値と比較し、比較結果（所定の閾値より大きい／小さい）を示す比較結果情報を変動検出信号生成部７５に出力する。
【００４７】
変動検出信号生成部７５は、比較部７０から入力される比較結果情報に基づき、出力信号の周波数が変動した共振回路３３を特定する情報および変動の内容を示す情報を含む変動検出信号を生成して操作信号生成部８５に出力する。変動検出信号の生成に先立って、位置情報取得部８０は、例えばメモリー等の記憶部（図示しない）から共振回路３３のそれぞれの位置を示す位置情報を取得する。変動検出信号生成部７５は、周波数が変動した共振回路３３について、その位置情報を位置情報取得部８０から取得し、変動検出信号における共振回路３３を特定する情報として、出力信号の周波数が変動した共振回路３３の位置を示す情報を操作信号生成部８５に出力する。
【００４８】
操作信号生成部８５は、変動検出信号生成部７５から入力される変動検出信号に基づいて、タッチペン２００によるタッチ操作が検出された位置を示すタッチペン操作信号又は指による操作が検出された位置を示す指操作信号を生成して、操作信号処理部９０に出力する。
【００４９】
操作信号処理部９０は、タッチペン操作信号又は指操作信号に基づいて、操作に応じた処理を実行する。操作信号処理部９０は、タッチペン操作信号に基づく処理を行うタッチペン操作信号処理部９１および指操作信号に基づく処理を行う指操作信号処理部９２を有する。
【００５０】
以下に、タッチ検出装置２０におけるタッチ検出動作について詳細に説明する。まず、タッチ操作がなされない状態におけるタッチ検出装置２０の動作について説明する。
【００５１】
指またはタッチペン２００が接近していない状態において、タッチ検出装置２０の共振回路３３は、共振動作を行う。共振回路３３のコイルのインダクタンスをＬ（Ｈ）、コンデンサの容量をＣ（Ｆ）とした場合、共振回路３３の共振周波数ｆは、以下の式（１）で表される。
【００５２】
【数１】
2015028712.tif 000003
【００５３】
指またはタッチペン２００が接近していない場合、共振回路３３は式（１）にＬ，Ｃを代入して算出される共振周波数（以下、ｆ０とする）を有する出力信号を出力し、検波部５０は、出力信号の周波数として周波数ｆ０を検出する。
【００５４】
比較部７０は、検波部５０から出力される周波数と、所定の閾値と、を比較する。図７は、比較部７０において行われる比較処理の内容を示す図である。比較部７０は、検波部５０において検出される周波数と、第１の閾値θ１および第２の閾値θ２と、を比較する。ここで第１の閾値θ１および第２の閾値θ２は、比較の対象としている出力信号を出力する共振回路３３について予め算出される共振周波数ｆ０に基づいて決定された値であり、予め設定されている。例えば第１の閾値θ１は、共振周波数ｆ０の９０％に相当する値であり、第２の閾値θ２は共振周波数ｆ０の１１０％に相当する値である。
【００５５】
比較部７０は、共振回路３３の出力信号の周波数（比較対象である周波数）が第１の閾値θ１以下であると判定された場合、もしくは該周波数が第２の閾値θ２以上であると判定された場合、判定結果を示す信号を操作信号生成部８５に出力する。例えば、比較部７０と、変動検出信号生成部７５と、は共振回路３３の数と同数の、それぞれが１つの共振回路３３と対応する複数の信号線７４で接続され、いずれかの共振回路３３から出力された信号の周波数が第１の閾値θ１以下であった場合には該共振回路３３に対応する信号線７４を介して所定の波形のパルス（以下、第１パルス）を出力し、該周波数が第２の閾値θ２以上であった場合には、前述の所定の波形とは異なる波形のパルス（以下、第２パルス）を同じ信号線７４を介して出力する。
【００５６】
指またはタッチペン２００が接近していない場合、上述のとおり出力信号の周波数は共振周波数ｆ０であり、該周波数は第１の閾値θ１より大きく、かつ第２の周波数θ２より小さいため（図７の信号７１）、比較部７０は第１パルスおよび第２パルスのいずれも出力しない。従って、変動検出信号生成部７５は変動検出信号を生成せず、操作信号生成部８５は指操作信号およびタッチペン操作信号のいずれも生成しない。
【００５７】
次に、タッチペン２００による操作が行われた場合について説明する。タッチペン２００による操作が行われた場合、共振回路３３のコイル３７において、タッチペン２００の接触部２０１の接近による電磁誘導が発生し、インダクタンスＬが大きくなる。その結果、式（１）より、検波部５０で検出される周波数は、ｆ０よりも低くなる。
【００５８】
比較対象である周波数が第１の閾値θ１より低くなった場合（図７の信号７２）、比較部７０は該周波数が検出された共振回路３３に対応する信号線７４において第１パルスを出力する。
【００５９】
変動検出信号生成部７５は、比較部７０からの入力に基づいて、変動の内容（周波数が第１の閾値θ１より低くなった旨）、および変動が検出された共振回路３３の位置を示す情報を含む変動検出信号を生成して、操作信号生成部８５に出力する。
【００６０】
そして操作信号生成部８５は、変動検出信号生成部７５からの入力に基づいて、タッチペン２００による操作がなされた旨および検出された位置を示すタッチペン操作信号を生成し、操作信号処理部９０に出力する。
【００６１】
次に、指による操作が行われた場合について説明する。指による操作が行われた場合、共振回路３３のコンデンサ３６における電界の一部が指に吸収され、その結果、コンデンサ３６の容量Ｃが小さくなる。その結果、式（１）より、検波部５０で検出される周波数は、ｆ０よりも高くなる。
【００６２】
比較対象である周波数が第２の閾値θ２より高くなった場合（図７の信号７３）、比較部７０は該周波数が検出された共振回路３３に対応する信号線７４において第２パルスを出力する。
【００６３】
変動検出信号生成部７５は、比較部７０からの入力に基づいて、変動の内容（周波数が第２の閾値θ２より低くなった旨）、および変動が検出された共振回路３３の位置を示す情報を含む変動検出信号を生成して、操作信号生成部８５に出力する。
【００６４】
そして操作信号生成部８５は、変動検出信号生成部７５からの入力に基づいて、指による操作がなされた旨および検出された位置を示す指操作信号を生成し、操作信号処理部９０に出力する。
【００６５】
以上の構成により、共振回路３３から出力される周波数に基づいてタッチ操作の検出およびタッチペン／指判定が行われるタッチ検出装置２０およびタッチパネル３０が提供される。
【００６６】
この構成によれば、タッチ操作が、共振回路３３から出力される出力信号の周波数に基づいて検出される。周波数はノイズによる変動が少ないため、本構成によれば、信号の振幅に基づいてタッチ操作の検出を行っていた従来の構成に比べ、ノイズに起因する誤検出の発生が低減される。
【００６７】
また、この構成によれば、タッチペン／指判定が周波数の変動方向（増／減）に基づいて行われるため、タッチペン／指判定をタッチ操作が検出された領域の面積に基づいて行っていた従来の構成に比べ、より高精度なタッチペン／指判定が実行される。
【００６８】
さらに、この構成によれば、タッチ操作に用いられるタッチペン２００は強磁性体からなる接触部２０１を有していればタッチ操作が可能であり、タッチ操作のための電源や信号を生成する構成等を設ける必要がなく、安価かつ軽量なタッチペン２００が実現される。
【００６９】
［第２の実施形態］
次に、本発明の第２の実施形態について説明する。本実施形態は、共振回路３３の構成を除いて、第１の実施形態と同一である。図８は、本発明の第２の実施形態に係る共振回路３３の構成を示す図である。本実施形態においては、共振回路３３は、コイル３７と、該コイル３７の中心部に形成される第１電極３４および第２電極３５からなるコンデンサ３６と、から構成されている。また、第１の実施形態と同様、配線同士が重複する、図面内でハッチングにより示される領域は、互いに絶縁されて重畳されるブリッジ構成により形成される。
【００７０】
［第３の実施形態］
次に、本発明の第３の実施形態について説明する。本実施形態は、共振回路３３の構成を除いて、第１および第２の実施形態と同一である。図９は、本発明の第３の実施形態に係る共振回路３３の構成を示す図である。本実施形態においては、共振回路３３は、コイル３７と、入力信号線３１と出力信号線３２との重複部分からなるコンデンサ３６と、から構成されている。また、第１および第２の実施形態と同様、配線同士が重複する、図面内でハッチングにより示される領域は、互いに絶縁されて重畳されるブリッジ構成により形成される。
【００７１】
［第４の実施形態］
次に、本発明の第４の実施形態について説明する。本実施形態においてはＩＴＯ層１３が、２つの層（上層、下層）からなる。本実施形態は、このＩＴＯ層１３の構造および共振回路３３の構成を除いて、第１〜第３の実施形態と同一である。
【００７２】
図１０は、本発明の第４の実施形態に係る共振回路３３の構成を示す図である。本実施形態において、ＩＴＯ層１３は、それぞれが図１０に示す構成を有する下層の上に上層が形成された構造を有する。本実施形態において、共振回路３３は、ＩＴＯ層１３の上層に形成されるコイル３７と、ＩＴＯ層１３の下層に形成される第１電極３４とＩＴＯ層１３の上層に形成される入力信号線３１の第１電極３４との重複部分（破線で示す）からなるコンデンサ３６と、から構成される。コイル３７は、互いに電気的に接続されるコンタクト３８および３９を介して、ＩＴＯ層１３の下層の出力信号線３２と接続される。
【００７３】
［第５の実施形態］
次に、本発明の第５の実施形態について説明する。本実施形態においては第４の実施形態同様、ＩＴＯ層１３が、２つの層（上層、下層）からなる。本実施形態は、このＩＴＯ層１３の構造および共振回路３３の構成を除いて、第１〜第３の実施形態と同一であり、共振回路３３の構成を除いて第４の実施形態と同一である。
【００７４】
図１１は、本発明の第５の実施形態に係る共振回路３３の構成を示す図である。本実施形態において、ＩＴＯ層１３は、それぞれが図１１に示す構成を有する下層の上に上層が形成された構成を有する。本実施形態において共振回路３３は、ＩＴＯ層１３の上層に形成されるコイル３７と、ＩＴＯ層１３の上層に形成される入力信号線３１および下層に形成される出力信号線３２の互いに重複する部分（破線で示す）からなるコンデンサ３６と、から構成される。コイル３７は、互いに電気的に接続されるコンタクト３８および３９を介して、ＩＴＯ層１３の下層の出力信号線３２と接続される。
【００７５】
以上、本発明のいくつかの実施形態について説明したが、本発明はこれらの実施形態に限定されない。例えば、上述した各実施形態において共振回路３３を形成するＩＴＯ層１３の他層との位置関係についても、本発明は図２に示されるようにＩＴＯ層１３が偏光板１２とカラーフィルタガラス１４との間に形成される構成に限定されない。図１２および図１３は、本発明におけるＩＴＯ層１３の形成位置に関する、他の実施形態を示す図である。すなわちＩＴＯ層１３は、図１２に示すようにカラーフィルタガラス１４とカラーフィルタ１５の間に形成されてもよく、また図１３に示すようにカラーフィルタ１５と液晶層１６の間に形成されてもよい。
【００７６】
また、上記実施形態においては、図４，８，９，１０，１１に示す構成を有する共振回路３３を複数有するタッチ検出装置２０およびタッチパネル３０が示されたが、本発明はこれに限定されず、共振回路３３の出力信号の周波数の上昇に基づいて指の接近を検出する構成、周波数の下降に基づいて強磁性体（タッチペン２００）の接近を検出する他の構成を採ってもよく、指およびタッチペン２００の少なくとも１つの接近の検出が求められる他の用途に対しても適用可能である。
【００７７】
以上、本発明について実施形態を用いて説明がなされたが、本発明はその趣旨を逸脱しない範囲において変更がなされたさまざまな構成を含むことはいうまでもない。
【符号の説明】
【００７８】
１０  表示部、１１  前面ガラス、１２  偏光板、１３  ＩＴＯ層、１４  カラーフィルタガラス、１５  カラーフィルタ、１６  液晶層、１７  ＴＦＴ基板、１８  偏光板、１９  バックライト、２０  タッチ検出装置、３０  タッチパネル、３１  入力信号線、３２  出力信号線、３３  共振回路、３４  第１電極、３５  第２電極、３６  コンデンサ、３７  コイル、３８，３９  コンタクト、４０  入力信号生成部、５０，５０−１，５０−２  検波部、５１  周波数ダウンコンバータ、５２  バンドパスフィルタ、５３  ゼロクロスディテクタ、５４  ワンショットマルチバイブレータ、５５  ローパスフィルタ、５６  位相比較器、５７  ローパスフィルタ、５８  ＶＣＯ、６０  Ａ／Ｄ変換部、７０  比較部、７１，７２，７３  信号、７４  信号線、７５  変動検出信号生成部、８０  位置情報取得部、８５  操作信号生成部、９０  操作信号処理部、９１  タッチペン操作信号処理部、９２  指操作信号処理部、１００  情報処理装置、２００  タッチペン、２０１  接触部。
【図１】
2015028712.tif 000004
【図２】
2015028712.tif 000005
【図３】
2015028712.tif 000006
【図４】
2015028712.tif 000007
【図５】
2015028712.tif 000008
【図６】
2015028712.tif 000009
【図７】
2015028712.tif 000010
【図８】
2015028712.tif 000011
【図９】
2015028712.tif 000012
【図１０】
2015028712.tif 000013
【図１１】
2015028712.tif 000014
【図１２】
2015028712.tif 000015
【図１３】
2015028712.tif 000016